(57)【特許請求の範囲】
【請求項１】
回転軸に設けられ径方向に複数のティースが形成されたコア鉄心と、
前記コア鉄心にＹ結線により巻かれるコイルと、
前記コア鉄心に設けられ前記コイルと前記コア鉄心との間を絶縁する絶縁部と、前記絶縁部の前記各ティースに対応する位置にそれぞれ前記絶縁部と一体的に設けられ、Ｙ結線による前記コイルの中性点の口出線を挟持する隙間を有し、且つ各ティース毎に前記隙間の幅が異なる結線取付部と、を備えることを特徴とするモータの回転子。
【発明の詳細な説明】
【０００１】
【発明の属する技術分野】
本発明はモータの回転子に係り、特にＹ結線における中性点の処理に特徴を有するモータの回転子に関するものである。
【０００２】
【従来の技術】
従来からモータの回転子に巻かれるコイルを結線する方法としてＹ結線が用いられている。図４にＹ結線によりコイルを結線した従来のモータの回転子１０を示す。回転子１０は、図３に示すように、回転軸２２をコア鉄心１４に挿通させ、さらに樹脂成形してコア鉄心１４の軸方向両端及びスロット２４の内周に鉄心絶縁部２８が形成された回転子ベース１８を備え、この回転子ベース１８のスロット２４にコイル１６を収容すると共に、整流子スリーブ２６に整流子１２を取り付ける。また、整流子１２には整流子ライザ２０が設けられている。
【０００３】
前記コイル１６は、コア鉄心１４に導線を巻き付けて構成され、導線１６ａ〜１６ｃをＹ結線により結線したものである。すなわち、前記各導線１６ａ〜１６ｃの各一端を所定の整流子ライザ２０に接続し、他端を一つにまとめて結線し中性点３６としている。ここで、中性点３６の近傍の口出線３６ａは寄り線とされている。
【０００４】
また、上記鉄心絶縁部２８におけるティース２８ａの外周側には、中性点３６の口出線３６ａを挟持する結線取付部３２が樹脂成形により一体に設けられている。詳しくは、この結線取付部３２は一対の平板３２ａと、平板３２ａに対してＬ字状を成すようにして設けられた補強壁３２ｂとを有し、各平板３２ａの間に形成された隙間（スリットＴ）に口出線３６ａを挟むことによって中性点３６を回転子１０に固定して各導線１６ａ〜１６ｃをＹ結線にて巻くための巻き始め位置としている。
【０００５】
ここで、モータ仕様の変更に応じてコイル１６（導線１６ａ〜１６ｃ）のコイル径を変更する場合、以下のような問題が生じる。例えば、コイル１６の径を大きくした場合には、隙間Ｔ内の幅よりも中性点３６の口出線３６ａの径の方が大きくなり、口出線３６ａが隙間Ｔ内に収まらず挟持できないためＹ結線の巻き始めとして保持することができない。仮に、挟持できたとしても口出線３６ａに無理な挟持力が加わりコイル１６が断線してしまう虞れがある。一方、コイル１６（導線１６ａ〜１６ｃ）の径を小さくした場合には、隙間Ｔ内に口出線３６ａが収まるものの挟持することができず、コイル１６を巻く際に中性点３６を保持できない。
【０００６】
【発明が解決しようとする課題】
本発明は上記課題に鑑み成されたものであり、Ｙ結線を備えるモータの回転子において、コイル径の変更に応じて中性点の保持を容易に行うことができるモータの回転子を提供することを目的としている。
【０００７】
【課題を解決するための手段】
上記課題を解決するために、請求項１記載のモータの回転子は、回転軸に設けられ径方向に複数のティースが形成されたコア鉄心と、前記コア鉄心にＹ結線により巻かれるコイルと、前記コア鉄心に設けられ前記コイルと前記コア鉄心との間を絶縁する絶縁部と、前記絶縁部の前記各ティースに対応する位置にそれぞれ前記絶縁部と一体的に設けられ、Ｙ結線による前記コイルの中性点の口出線を挟持する隙間を有し、且つ各ティース毎に前記隙間の幅が異なる結線取付部と、を備えることを特徴としている。
【０００８】
請求項１記載の構成によれば、モータの回転子のコア鉄心にはＹ結線によりコイルが巻かれている。そして、Ｙ結線によるコイルの中性点が、絶縁部に設けられた結線取付部の隙間にその口出線が挟持されることにより、コア鉄心へのコイル巻き始め位置が固定される。また、結線取付部は、コア鉄心の各ティースに対応する位置（各ティース毎）に設けられている。これら複数の結線取付部において、各隙間の間隔はそれぞれ異なった幅とされている。よって、例えば、コイルの径が異なる仕様の異なったモータを製造するにあたって、予め結線取付部の隙間の幅を、予想される複数種のコイル径に対応するよう各隙間の幅を異ならせておくことによって、いずれのコイルについても中性点の保持が可能となる。従って、異なるコイル径に応じて結線取付部（又は結線取付部を成形するための型）を複数種用意する必要がなく製造上の管理が簡略化される。
【００１１】
【発明の実施の形態】
次に、本発明に係る実施形態を図面に基づいて説明する。
なお、本発明のモータの回転子は、従来技術で説明したものと基本的な構造は同じであるため、同じ構成には同一の符号を付しその説明を省略する。
【００１２】
本実施形態の回転子１０は三相式であり、図１及び図２（図１の矢視Ｐ図）に示すように、整流子１２と、コア鉄心１４と、コイル１６を構成する導線１６ａ〜１６ｃと、回転子ベース１８とを有している。回転子ベース１８は、回転子の各構成部品を回転軸２２の周りの所定の位置に配置するための土台となる部品であり、表面にコア鉄心１４に一体成形された樹脂製の鉄心絶縁部２８を有する。
【００１３】
コア鉄心１４に巻かれる３本の導線１６ａ〜１６ｃはＹ結線により結線され、一端でまとめて結線された中性点３６を有し、中性点３６の近傍の口出線３６ａは寄り線とされている。ここで、３本の導線１６ａ〜１６ｃは同一のコイル径とされている。
【００１４】
また、鉄心絶縁部２８における３本のティース２８ａ〜２８ｃの各外周側には、中性点３６の口出線３６ａを挟持可能な結線取付部３２が樹脂により一体に設けられている。各結線取付部３２は一対の平板３２ａと、平板３２ａに対してＬ字状を成すようにして設けられた補強壁３２ｂとを有し、各平板３１ａの間には隙間Ｘ、Ｙ及びＺがそれぞれ形成されている。そして、これらの隙間Ｘ、Ｙ及びＺのうち、いずれか一つに中性点３６の口出線３６ａを挟むことによって回転子１００に固定してＹ結線の巻き始め位置とされている。
【００１５】
ここで、隙間Ｘを例にとって説明すると、図２に示すように、一対の平板３２ａ間にそれぞれ形成された挟持部３２ｃと、該挟持部３２ｃに連設された案内部３２ｄとが形成され、これら挟持部３２ｃ及び案内部３２ｄにより略Ｙ字状のスリットが形成されている。つまり、案内部３２ｄはテーパ状とされ中性点３６を保持する際に口出線３６ａを挿入案内する。そして、挟持部３２ｃ間のスリットに口出線３６ａが挟持される。ここで、隙間Ｘは所定のコイル径に対応し、導線１６ａ〜１６ｃの寄り線、すなわち、口出線３６ａを挟持可能な幅寸法とされている。
【００１６】
次に、隙間Ｙ及び隙間Ｚについて説明する。
隙間Ｙ及び隙間Ｚは、一対の平板３２ａ間にそれぞれ形成された挟持部３２ｃと、該挟持部３２ｃに連設された案内部３２ｄとが形成され、これら挟持部３２ｃ及び案内部３２ｄにより略Ｙ字状のスリットが設けられており、上記隙間Ｘと同様な構造を成している。
【００１７】
ここで、隙間Ｙの幅寸法は、上記隙間Ｘの幅寸法よりも僅かに大きく設定されている。また、隙間Ｚの幅寸法は、隙間Ｙよりも僅かに大きく設定されている。つまり、隙間Ｘ、隙間Ｙ及び隙間Ｚの幅寸法関係は、Ｘ＜Ｙ＜Ｚとされており、それぞれ異なった寸法に設定されている。
【００１８】
よって、例えば、コイルの径が異なる仕様の異なったモータを製造するにあたって（導線１６ａ〜１６ｃの径を変更する必要がある場合）、予め結線取付部３２の隙間の幅を、予想される複数種のコイル径に対応するよう各隙間Ｘ、Ｙ、Ｚの幅寸法をＸ＜Ｙ＜Ｚの如く異ならせておくことによって、いずれのコイルについても中性点の保持が可能となる。従って、異なるコイル径に応じて結線取付部（又は結線取付部を成形するための型）を複数種用意する必要がなく製造上の管理が簡略化され、延いてはモータの製造上のコストを削減できる。
【００１９】
本実施の形態において、ティース数が３本の回転子について各説明したが、これに限らず６本或いは８本のティースを備えた回転子にも採用でき、特にティースの数は限定されない。また、１本のティース上に２箇所、あるいは３箇所の結線取付部を形成し、各結線取付部の隙間の幅寸法を上記の如く異ならせてもよい。
【００２０】
要は、Ｙ結線されるモータにおいて、中性点を保持するに当たり、回転子上に径の異なる少なくとも２種類のコイルに対応するよう複数の結線取付部が形成されていればよく、さらに中性点の口出線を挟持する隙間の幅寸法が互いに異なっていればよい。
【００２１】
以上説明したように、本発明のモータの回転子は、Ｙ結線を備えるモータの回転子において、コイル径の変更に応じて中性点の保持を容易に行うことができるといった優れた効果を有する。
【図面の簡単な説明】
【図１】本発明の実施形態に係るモータの回転子の軸方向から見た平面図である。
【図２】本実施形態に係る結線取付部を示す図１の矢視Ｐ図である。
【図３】従来のモータの回転子における回転子ベースを示す斜視図である。
【図４】従来のモータの回転子を示す平面図である。
【符号の説明】
１０…モータ回転子、１４…コア鉄心、１６…コイル、２２…回転軸、２８…鉄心絶縁部（絶縁部）、２８ａ…ティース、３２…結線取付部、３６…中性点、３６ａ…口出線、Ｘ，Ｙ，Ｚ…隙間、。
【図１】
0004298092.tif 000002
【図２】
0004298092.tif 000003
【図３】
0004298092.tif 000004
【図４】
0004298092.tif 000005